(57)【要約】  本発明は、レンズの表面に遠視野および近視野の光学屈折力を割り当てるらせん模様を含む屈折力を有する表面を持つレンズを提供する。
2005514639.tif 000002
【特許請求の範囲】
【請求項１】
遠視野の屈折力を持つ領域を有する視覚領域を備えた第１の屈折面を備え、遠視野の屈折力を持つ領域が差し入れられ、近視野の屈折力を持つ領域によって実質的ならせん模様が形成されるレンズ装着者のための眼用レンズ。
【請求項２】
前記レンズが、コンタクトレンズであることを特徴とする請求項１記載のレンズ。
【請求項３】
シリンダ力またはプリズム力を提供する第２の屈折面を備えたことを特徴とする請求項２記載のレンズ。
【請求項４】
地形測量により抽出された表面である第２の屈折面を備えたことを特徴とする請求項２記載のレンズ。
【請求項５】
前記第１の屈折面が、レンズの前面であることを特徴とする請求項１記載のレンズ。
【請求項６】
前記第１の屈折面が、レンズの前面であることを特徴とする請求項２記載のレンズ。
【請求項７】
前記第１の屈折面がレンズの前面であり、前記第２の屈折面がレンズの裏面であることを特徴とする請求項３記載のレンズ。
【請求項８】
前記第１の屈折面がレンズの前面であり、前記第２の屈折面がレンズの裏面であることを特徴とする請求項４記載のレンズ。
【請求項９】
遠視野の屈折力を持つ領域を有する視覚領域を備えた第１の屈折面と、第２の視覚領域に度のない屈折力を持つ領域を持ち、前記度のない屈折力を持つ領域が差し入れられ、実質的ならせん模様の近視野の屈折力を有する領域が形成される第２の屈折面とを備えたレンズ装着者のための眼用レンズ。
【請求項１０】
前記レンズが、コンタクトレンズであることを特徴とする請求項９記載のレンズ。
【請求項１１】
地形測量により抽出された表面である第２の屈折面を備えることを特徴とする請求項１０記載のレンズ。
【請求項１２】
前記第１の屈折面がレンズの前面であることを特徴とする請求項９記載のレンズ。
【請求項１３】
前記第１の屈折面がレンズの前面であることを特徴とする請求項１０記載のレンズ。
【請求項１４】
前記第１の屈折面がレンズの前面であり、前記第２の屈折面がレンズの裏面であることを特徴とする請求項１１記載のレンズ。
【発明の詳細な説明】
【技術分野】
【０００１】
本発明は、眼用レンズに関するものである。特に、本発明は１以上の光学屈折力または焦点距離を利用するものであって、老眼の矯正に有用なレンズを提供するものである。
【背景技術】
【０００２】
それぞれの年齢に応じて、眼は観察者の比較的近くに存在する対象物に焦点を合わせるように生来のレンズを調整したり屈折させたりすることができなくなる。このような状態は老眼として知られている。また、生来のレンズを取り除き置換品として眼内レンズを挿入している人は、上記の調整能力は全く欠如している。
【発明の開示】
【発明が解決しようとする課題】
【０００３】
このような眼の調整機能の欠如を矯正するための方法としてレンズを使うことがあり、遠視野と近視野の両方を矯正する眼鏡およびコンタクトレンズがある。老眼の矯正を提供するコンタクトレンズの設計には、瞳孔の大きさと無関係に設計されるレンズがある。これは、上記設計は光が当たることや物体の固定距離によって変化する瞳孔に対して矯正することを意味する。このような設計の例には、レンズの一方または両方の表面上に、パイのようにスライスされた（pie-sliced）模様、市松模様および六角形の模様を有する視覚領域を含むものがある。しかしながら、これらの設計は、変化する瞳孔を横切って等しい光学パフォーマンスを行うことが容易でないという点で不利である。
【課題を解決するための手段】
【０００４】
また、らせん回折性設計（spiral diffractive design）およびらせんがプリントされた設計（spiral-printed design）が、米国特許第５，４０８，２８１に開示される。この特許の回折性設計は、標準的な製造技術を用いて製造することが難しいという点で不利である。プリントされたらせんの設計は、らせんがプリントされた表面上で生じる、表面上の各らせん帯での波長または色の伝達差異を実現するのに適している。このように、レンズの製造には、表面上にらせん模様となるように配置される波長を選択したコーティングまたはペイント、または異なる染料で異なるらせん帯をドープ処理（doping）することが要求される。
以上理由から、従来の設計のいくつか、またはすべての不利益を克服するような設計が要求されている。
【発明の効果】
【０００５】
この発明によれば、視力の調整能力の欠如を矯正する方法、矯正のためのレンズ、および本発明によるレンズの製造方法が得られる効果がある。
【発明を実施するための最良の形態】
【０００６】
本発明は、視力の調整能力の欠如を矯正する方法、矯正のためのレンズ、および本発明によるレンズの製造方法を提供する。本発明によるレンズは、表面上に遠視野および近視野の光学屈折力を割り当てるらせん模様を持つ屈折力のある表面を利用している。本発明の設計は、すべての円形領域がらせん模様の中心に位置するようにするために面積比率値が保持されるので、近視野および遠視野の矯正をする領域が、瞳孔の大きさに関わらず等しい面積比率を保持するようにできるという点で有益である。
【０００７】
ある実施の形態では、本発明は、遠視野の屈折力を持つ領域を備えた視覚領域を含む、または本質的に構成される、または構成される屈折力を持つ面を含む、または本質的に構成される、または構成される、レンズ装着者のための眼用レンズを提供する。ここでは、遠視野の屈折力を持つ領域が差し入れられ、実質的ならせん模様の近視野の屈折力を有する領域が形成される。
【０００８】
「眼用レンズ」とは、眼鏡レンズ、コンタクトレンズ、眼内レンズ等またはそれらの組み合わせを意味する。好ましくは、本発明のレンズはコンタクトレンズである。「遠視野の光学屈折力（distance optical power）」とは、装着者の遠視野を所望の程度まで矯正するために要求される屈折力の量を意味する。「近視野の光学屈折力（near optical power）」とは、装着者の近視野を所望の程度まで矯正するために要求される屈折力の量を意味する。
【０００９】
本発明のレンズにおいて、レンズの前（物体側）および裏（眼側）の一方または両方が、視覚領域内に遠視野の光学屈折力を持つ領域を含む。この遠視野の光学屈折力を持つ領域の内側に、実質的ならせん模様の形で近視野の光学屈折力を持つ領域が割り当てられる。図１を参照すると、領域１１が示される視覚領域１０が図示され、この領域は装着者の遠視野を所望の程度まで矯正するための湾曲した半径（radius of curvature）を有する。領域１１の内側に領域１２があり、この領域は装着者の近視野を所望の程度まで矯正するための湾曲した半径を有する。
【００１０】
らせん模様を作る近視野用および遠視野用の領域は、異なる屈折力を持ち、各屈折力は中央に一定の厚みを有するレンズの表面上に配置されることを当業者は認めるであろう。このように、本発明のすべての実施の形態において、近視野用および遠視野用の領域の間のゆがみは、各領域間の境界における表面の急激な湾曲または傾斜を整えることによって、各領域間の滑らかな伝達が可能になる。これは、光線トレーシングソフトウエア、または光学光線トレーシングソフトウエアとともに用いられる標準的な市販のコンピュータ支援設計ソフトウエアを利用することで実現できる。
【００１１】
本発明のらせん模様は、レンズの前面または裏面に存在してもよい。あるいは、度のない部分と近視野の光学屈折力を持つ領域のらせん模様を一方の面上に形成し、反対面に所望のすべての遠視野の光学屈折力を持つ領域を形成してもよい。好ましくは、一方の表面上に遠視野の光学屈折力と近視野の光学屈折力のらせん模様を形成したものが利用され、より好ましくはその模様を前面に形成したものが利用される。
【００１２】
らせん模様を生成する任意の適切な等式を用いてもよい。近視野の光学屈折力に対する遠視野の光学屈折力の比率が５０：５０となるように生成するのに好ましい等式は、
Ｒ＝ｅａθ−１
である。ここで、Ｒはｍｍ単位の半径、ａは定数、θはラジアン単位の円周角の位置（circumference angular position）である。定数ａに０．１０２４６を選択し、直径８ｍｍでＲｍａｘ＝４の視覚領域とすると、視覚領域の端に到達するまでに２．５周するらせん線でトレースされうる。最初のらせん線上の、各θとθ＋２πを組とする点に対する各点の間の点を利用するようならせん線を生成すると、２つの等しい面積のらせん領域が生成される。θとθ＋２πの各組の間の部分位置を変化させることにより、上記領域の面積比率が変化しうる。
【００１３】
遠視野および近視野の光学屈折力によるレンズ面積の比率は、それぞれ異なる瞳孔の固定サイズを有するすべての装着者にとって望ましい視力矯正を提供するのに有効でなければならない。上記各屈折力の比率は、限定されないが、ある設計の光学的パフォーマンスを測定し、最適にするのに有用な光学用ソフトウエアを含む任意の従来の方法で決定してもよい。適切なソフトウエアには、限定されないが、ＦｏｃｕｓＳｏｆｔｗａｒｅ（登録商標）から市販されるＺｅｍａｘがある。
【００１４】
本発明のレンズにおいて、遠視野および近視野の光学屈折力は球面上の屈折力である。また、遠視野および近視野の光学屈折力を持つ領域は、任意の所望の、また実用的な大きさを有してもよい。視覚領域は、またソフトコンタクトレンズにとって好ましくは、視力補正をしないレンズ領域に囲まれてもよい。当業者は、ベベル（bevel）、スラブオフ（slab-offs）等をレンズ外縁に用いてもよいことを認める。
【００１５】
本発明に有用なコンタクトレンズは、ハードレンズでもソフトレンズでもよい。レンズを製造するのに適した任意の材料によって生成されるソフトコンタクトレンズが使用されるのが好ましい。本発明のレンズは、例えば、限定されないが、シリンダ力、プリズム力等およびこれらの組み合わせ等の遠視野および近視野の光学屈折力に加えて、上記の各表面上に組み込まれる種々の矯正的な光学特性の任意のものを有することができる。また、１または複数のレンズ表面は、地形測量（topographic measurements）により計算された表面でもよいし、地形測量により抽出された（topographically-derived）表面でもよい。
【００１６】
本発明の各レンズは、任意の従来の方法により形成できる。例えば、本発明の中で形成されるらせん模様は、交互に変化する半径によるダイアモンド旋削（diamond-turning）により製造できる。この模様は、本発明のレンズを形成するのに使用される金型の中にダイアモンド旋削により形成できる。これに続いて、適当な液体樹脂をこれらの金型の中に入れてから樹脂を圧縮して硬化することにより本発明のレンズ が形成できる。あるいは、この模様をダイアモンド旋削によりレンズ・ボタン（lens buttons）の形態にすることも可能である。
【図面の簡単な説明】
【００１７】
【図１】本発明の実施の形態１によるレンズの視覚領域の平面図である。
【図１】
2005514639.tif 000003
【国際調査報告】
2005514639.tif 000004
2005514639.tif 000005
2005514639.tif 000006
2005514639.tif 000007